(57)【要約】【課題】端からの漏れが抑制された吸収性シートを提供する。【解決手段】透液性の表面シート１１と、不透液性の裏面シート１２と、表面シート１１と裏面シート１２との間に介装される吸収体１３と、からなる吸収性シート１において、当該吸収性シート１は、平面視略矩形状に形成されており、所定の載置面（部屋の床面やペット用トイレＴのトレイＴ２の底面等）に載置した際に、当該吸収性シート１の一辺に平行な第１方向の両端部領域（左端部領域１ａ及び右端部領域１ｂ）の表面の位置が、その間の中央領域１ｃの表面の位置よりも高くなるように構成されている。【選択図】図１
2013255452.tif 000002
【特許請求の範囲】
【請求項１】
透液性の表面シートと、不透液性の裏面シートと、前記表面シートと前記裏面シートとの間に介装される吸収体と、からなる吸収性シートにおいて、
当該吸収性シートは、平面視略矩形状に形成されており、
所定の載置面に載置した際に、当該吸収性シートの一辺に平行な第１方向の両端部領域及び当該一辺に直交する第２方向の両端部領域の少なくとも何れか一方の両端部領域の表面の位置が、その間の中央領域の表面の位置よりも高くなるように構成されていることを特徴とする吸収性シート。
【請求項２】
前記中央領域には、当該中央領域を表面側から押圧することによって、エンボス模様が形成されていることを特徴とする請求項１に記載の吸収性シート。
【請求項３】
前記第１方向の両端部領域及び前記第２方向の両端部領域の少なくとも何れか一方の両端部領域と、前記中央領域と、の境界には、当該境界を表面側から押圧することによって、圧縮溝が形成されていることを特徴とする請求項１又は２に記載の吸収性シート。
【請求項４】
前記第１方向の両端部領域及び前記第２方向の両端部領域の少なくとも何れか一方の両端部領域と、前記中央領域と、の境界には、当該境界に沿って伸縮部材が配置されていることを特徴とする請求項１から３の何れか一項に記載の吸収性シート。
【発明の詳細な説明】
【技術分野】
【０００１】
本発明は、吸収性シートに関する。
【背景技術】
【０００２】
従来、吸収性シートとして、犬や猫等のペットが排泄した尿等を吸収するためのペット用シート等が普及している。
一般的に、ペット用シート等の吸収性シートは、透液性の表面シートと、不透液性の裏面シートと、表面シートと裏面シートとの間に介装される吸収体と、を備え、表面シートを内側にして折り曲げられた状態で包装されている。そして、折り曲げられた状態で包装されたペット用シートは、展開されて床面やペット用トイレ等に敷かれた状態で使用される。
このようなペット用シート等の吸収性シートとしては、例えば、吸液性芯材と、当該吸液性芯材を包む芯材被覆シートと、を含む吸収体を備え、吸液性芯材と芯材被覆シートとが実質的に剥離することがないように、吸収体全体にエンボス加工が施されたものが知られている（例えば、特許文献１参照）。
【先行技術文献】
【特許文献】
【０００３】
【特許文献１】特開２０１０−５１２６１号公報
【発明の概要】
【発明が解決しようとする課題】
【０００４】
しかしながら、ペットは吸収性シートの中央領域に排尿するとは限らず、吸収性シートの端部領域に排尿することもある。特許文献１記載の吸収性シートのように、吸収体全体にエンボス加工が施されている場合、表面に多少の凹凸はあるものの、吸収性シートの中央領域の表面の位置と端部領域の表面の位置とが同一なので、吸収性シートの端部領域に排尿されると端から漏れてしまうことがあった。
【０００５】
本発明の課題は、端からの漏れが抑制された吸収性シートを提供することである。
【課題を解決するための手段】
【０００６】
上記課題を解決するために、請求項１に記載の発明は、
透液性の表面シートと、不透液性の裏面シートと、前記表面シートと前記裏面シートとの間に介装される吸収体と、からなる吸収性シートにおいて、
当該吸収性シートは、平面視略矩形状に形成されており、
所定の載置面に載置した際に、当該吸収性シートの一辺に平行な第１方向の両端部領域及び当該一辺に直交する第２方向の両端部領域の少なくとも何れか一方の両端部領域の表面の位置が、その間の中央領域の表面の位置よりも高くなるように構成されていることを特徴とする。
【０００７】
請求項２に記載の発明は、請求項１に記載の吸収性シートにおいて、
前記中央領域には、当該中央領域を表面側から押圧することによって、エンボス模様が形成されていることを特徴とする。
【０００８】
請求項３に記載の発明は、請求項１又は２に記載の吸収性シートにおいて、
前記第１方向の両端部領域及び前記第２方向の両端部領域の少なくとも何れか一方の両端部領域と、前記中央領域と、の境界には、当該境界を表面側から押圧することによって、圧縮溝が形成されていることを特徴とする。
【０００９】
請求項４に記載の発明は、請求項１から３の何れか一項に記載の吸収性シートにおいて、
前記第１方向の両端部領域及び前記第２方向の両端部領域の少なくとも何れか一方の両端部領域と、前記中央領域と、の境界には、当該境界に沿って伸縮部材が配置されていることを特徴とする。
【発明の効果】
【００１０】
本発明によれば、吸収性シートの第１方向の両端部領域及び第２方向の両端部領域の少なくとも何れか一方の両端部領域によって、尿を塞き止めたり、尿を中央領域へと流したりすることができるので、吸収性シートの端からの漏れを抑制することができる。
【図面の簡単な説明】
【００１１】
【図１】（ａ）は本発明の実施形態に係る吸収性シートの一例を示す平面図、（ｂ）はI−I線における断面図である。
【図２】ペット用トイレの一例を示す斜視図である。
【図３】（ａ）は吸収性シートの他の一例を示す平面図、（ｂ）はIII−III線における断面図である。
【図４】（ａ）は吸収性シートの他の一例を示す平面図、（ｂ）はIV−IV線における断面図である。
【図５】（ａ）は吸収性シートの他の一例を示す平面図、（ｂ）はV−V線における断面図である。
【図６】吸収性シートの折り畳み方の一例を説明するための図である。
【図７】吸収性シートの折り畳み方の他の一例を説明するための図である。
【図８】吸収性シートの変形例の一例を示す平面図である。
【図９】吸収性シートの変形例の他の一例を示す平面図である。
【発明を実施するための形態】
【００１２】
以下、本発明の実施形態を、図面を用いて詳細に説明する。ただし、発明の範囲は、図示例に限定されない。
なお、以下の説明では、吸収性シートの一辺に平行な第１方向を左右方向、当該一辺に直交する第２方向を前後方向とする。また、吸収性シートの厚さ方向を上下方向とする。
【００１３】
吸収性シート１は、例えば、図１（ａ）に示すように、平面視略長方形状をなしている。吸収性シート１は、ペット用シートであり、例えば、部屋の床面やペット用トイレＴ（図２参照）が備えるトレイＴ２の底面等の所定の載置面に敷いて使用され、表面からペットにより排泄された排泄物の水分をシート内に吸収する。
吸収性シート１は、例えば、数日間から一週間程度の長期間に亘って交換なしに持続して使用可能となっている。ペット用トイレＴは、例えば、図２に示すように、２段式になっており、上段で排泄物の固形分と水分とを分離し、下段に備えられたトレイＴ２内の吸収性シート１で水分を吸収する。図２では、トイレ本体Ｔ１からトレイＴ２が引き出された状態を示しているが、ペット用トイレＴは、トイレ本体Ｔ１内にトレイＴ２を収納した状態で使用される。
なお、吸収性シート１は、ペット用シートに限らず、例えば、介護用シートであっても良い。
【００１４】
具体的には、吸収性シート１は、例えば、図１（ａ）、（ｂ）に示すように、尿等の液体を速やかに透過させる透液性の表面シート１１と、表面シート１１の裏面側に配置される裏面シート１２と、表面シート１１と裏面シート１２との間に介装される吸収体１３と、等を備えて構成されている。
【００１５】
表面シート１１は、吸収体１３の一方の面（本実施形態の場合、上面）を覆い、更に第２方向（前後方向）の両端部が吸収体１３よりも外側に延出する大きさに設けられている。
表面シート１１は、透液性であって、有孔または無孔の不織布や、多孔性プラスチックシートや、メッシュシート等により形成されている。不織布を構成する素材繊維としては、ポリエチレンやポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、あるいはこれらを組み合わせた方法等によって不織布を製造することができる。
表面シート１１に多数の透孔を形成した場合には、尿等の液体がより速やかに吸収されるようになり、ドライタッチ性に優れたものとなる。
【００１６】
裏面シート１２は、吸収体１３の他方の面（本実施形態の場合、下面）を覆い、更に第２方向（前後方向）の両端部が吸収体１３よりも外側に延出するとともに、第１方向（左右方向）の両端部が吸収体１３よりも外側に延出する大きさに設けられている。
裏面シート１２のうち吸収体１３よりも外側に延出している第１方向の両端部は、吸収体１３の側面を覆って内側に折り返されている。そして、その折り返された部分と、表面シート１１のうち第１方向の両端部と、が接着されている。
また、裏面シート１２のうち吸収体１３よりも外側に延出している第２方向の両端部と、表面シート１１のうち吸収体１３よりも外側に延出している第２方向の両端部と、が接着されている。
なお、表面シート１１と裏面シート１２とは、ホットメルト型接着剤、ヒートシール、超音波シール等によって接着されている。また、表面シート１１と裏面シート１２とは、表面シート１１と裏面シート１２とが接する部分全域に亘って連続的に接着されていても良いし、間欠的に接着されていても良い。
【００１７】
裏面シート１２は、不透液性の素材であれば、特に限定されるものではないが、例えば、ポリエチレンやポリプロピレン等のオレフィン系樹脂等からなるプラスチックフィルム、不織布の表面にプラスチックフィルムを設けたラミネート不織布、プラスチックフィルムに不織布等を重ねて接合した積層シート等を例示することができる。また、この他にも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも裏面シートとして用いることができる。また、裏面シート１２は、例えば、防漏シートと吸液シートを組み合わせたシートのように、その最外面が吸液性のものであってもよい。これにより、吸収性シート１同士の接合部から、万が一、尿等の液体のしみ出しがあった場合でも、少量であれば吸液シートにより吸液できるため、衛生的である。また、裏面シート１２は、通気性のものであっても良いし、非通気性のものであっても良い。
【００１８】
吸収体１３は、尿等の水様成分を吸収するものであり、例えば、吸水性の繊維集合体と、高吸収性ポリマーのような高吸水性樹脂（ＳＡＰ；Super Absorbent Polymer）と、を混合して、あるいは層状に積層して形成された吸収体コアが、透液性のシート材によって覆われて構成されている。
吸収体コアを覆うシート材は、透液性であればその材質に特に限定はないが、例えば、クレープ紙の他、透液性の不織布や孔開きシート等を用いることができる。
吸収体コアを形成する繊維集合体としては、例えば、綿状パルプや合成繊維等の短繊維を積繊したものの他、セルロースアセテート等の合成繊維のトウ（繊維束）を必要に応じて開繊して得られるフィラメント集合体も使用できる。
吸収体コアを形成する高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨潤性ポリマーを部分架橋したもの、あるいはイソブチレンとマレイン酸との共重合体等が好適に用いられる。
【００１９】
なお、吸収体コアを形成する繊維集合体及び高吸水性樹脂の配合量は適宜設定されるものであるが、例えば、吸収性シート１が一週間持続可能なペット用シートである場合、高吸水性樹脂の量は５０ｇ／ｍ２（ｇｓｍ）〜２００ｇ／ｍ２（ｇｓｍ）が好ましい。
また、消臭機能を持たせるために、消臭剤を吸収体１３に入れても良い。消臭剤としては、例えば、活性炭や天然鉱物（例えば、ベントナイト、カオリナイト、カネマイト等）、合成無機物（例えば、ゼオライト、アモルファスシリカ等）を用いることができる。
また、抗菌機能を持たせるために、抗菌剤を吸収体１３に入れても良い。
【００２０】
ここで、吸収性シート１は、裏面シート１２が所定の載置面側（下側）を向くようにして当該載置面に載置した際に、当該吸収性シート１の第１方向の両端部領域の表面（上面）の位置、すなわち左端部領域１ａ及び右端部領域１ｂの表面（上面）の位置が、その間の中央領域１ｃの表面（上面）の位置よりも高くなるように構成されている。
【００２１】
具体的には、吸収性シート１は、例えば、図１（ａ）、（ｂ）に示すように、中央領域１ｃのみに、表面側（上面側）から押圧することによって形成された、格子状のエンボス模様Ｘを有している。そのため、吸収性シート１は、中央領域１ｃが下側に向けて凹んで左端部領域１ａ及び右端部領域１ｂよりも薄くなっている。すなわち、左端部領域１ａ及び右端部領域１ｂは、中央領域１ｃよりも盛り上がっている。したがって、中央領域１ｃのうち左端部領域１ａ側の部分又は右端部領域１ｂ側の部分や、左端部領域１ａと中央領域１ｃとの境界又は右端部領域１ｂと中央領域１ｃとの境界や、左端部領域１ａ又は右端部領域１ｂに排尿されたとしても、左端部領域１ａや右端部領域１ｂによって、尿を塞き止めたり、尿を中央領域１ｃへと流したりすることができるので、吸収性シート１の左端や右端からの漏れを抑制することができる。
なお、図１（ｂ）では、エンボス模様Ｘの図示は省略している。
【００２２】
あるいは、吸収性シート１は、例えば、図３（ａ）、（ｂ）に示すように、中央領域１ｃに形成されるエンボス模様Ｘの代わりに、第１方向の両端部領域、すなわち左端部領域１ａ及び右端部領域１ｂと、その間の中央領域１ｃと、の境界に、表面側（上面側）から押圧することによって形成された、連続線状の圧縮溝Ｙを有していても良い。この場合、左端部領域１ａのうち中央領域１ｃとの境界側の部分と、右端部領域１ｂのうち中央領域１ｃとの境界側の部分と、が下側に引っ張られるので、左端部領域１ａ及び右端部領域１ｂは、中央領域１ｃに対して角度が付けられた状態となる。すなわち、左端部領域１ａ及び右端部領域１ｂは、斜め上方を向くように中央領域１ｃとの境界（すなわち、圧縮溝Ｙ）を基点に立ち上がった状態となる。したがって、中央領域１ｃのうち左端部領域１ａ側の部分又は右端部領域１ｂ側の部分や、左端部領域１ａと中央領域１ｃとの境界又は右端部領域１ｂと中央領域１ｃとの境界や、左端部領域１ａ又は右端部領域１ｂに排尿されたとしても、左端部領域１ａや右端部領域１ｂによって、尿を塞き止めたり、尿を中央領域１ｃへと流したりすることができるので、吸収性シート１の左端や右端からの漏れを抑制することができる。
【００２３】
また、吸収性シート１は、例えば、図４（ａ）、（ｂ）に示すように、中央領域１ｃにエンボス模様Ｘが形成されているとともに、左端部領域１ａと中央領域１ｃとの境界及び右端部領域１ｂと中央領域１ｃとの境界に圧縮溝Ｙが形成されていても良い。この場合、図１に示す吸収性シート１（中央領域１ｃに形成されるエンボス模様Ｘは有するが、圧縮溝Ｙは有さない吸収性シート）と同様、左端部領域１ａ及び右端部領域１ｂが、中央領域１ｃよりも盛り上がった状態になるとともに、図３に示す吸収性シート１（境界に形成される圧縮溝Ｙは有するが、エンボス模様Ｘは有さない吸収性シート）と同様、左端部領域１ａ及び右端部領域１ｂが、斜め上方を向くように立ち上がった状態になるので、吸収性シート１の左端や右端からの漏れを効果的に抑制することができる。
なお、図４（ｂ）では、エンボス模様Ｘの図示は省略している。
【００２４】
また、吸収性シート１は、例えば、図５（ａ）、（ｂ）に示すように、中央領域１ｃだけでなく左端部領域１ａ及び右端部領域１ｂにもエンボス模様Ｘが形成されているとともに、左端部領域１ａと中央領域１ｃとの境界及び右端部領域１ｂと中央領域１ｃとの境界に圧縮溝Ｙが形成されていても良い。この場合、図３に示す吸収性シート１（境界に形成される圧縮溝Ｙは有するが、エンボス模様Ｘは有さない吸収性シート）よりも全体的に薄い状態になる。そして、図３に示す吸収性シート１と同様、左端部領域１ａ及び右端部領域１ｂが、斜め上方を向くように立ち上がった状態になるので、吸収性シート１の左端や右端からの漏れを抑制することができる。
なお、図５（ｂ）では、エンボス模様Ｘの図示は省略している。
【００２５】
本実施形態では、吸収体１３を表面シート１１で被覆する前に、エンボスロールを用いて当該吸収体１３に第２方向に対して平行にエンボス加工を施すことによって、エンボス模様Ｘや圧縮溝Ｙを形成したが、これに限ることはなく、吸収体１３を表面シート１１で被覆した後に、エンボス加工を施すことによってエンボス模様Ｘや圧縮溝Ｙを形成することも可能である。吸収体１３を表面シート１１で被覆した後にエンボス加工を施す場合、表面シート１１の上方から押圧されることによってエンボス模様Ｘ及び／又は圧縮溝Ｙが形成されるので、吸収体１３を表面シート１１で被覆する前にエンボス加工を施す場合よりも、吸収性シート１の左端部領域１ａ及び右端部領域１ｂの表面の位置と、その間の中央領域１ｃの表面の位置と、の高低差が顕著に現れ、好適である。
【００２６】
また、表面シート１１は、第１方向にテンションをかけた状態（すなわち、第１方向に伸ばした状態）で吸収体１３上に配置して裏面シート１２に接着させると良い。この場合、当該テンションの解除によって表面シート１１が第１方向に縮んで元の状態に戻った際に、吸収体１３の第１方向の両端に第１方向内向きの力が付与されるので、左端部領域１ａ及び右端部領域１ｂが立ち上がりやすくなり、好適である。
【００２７】
また、エンボス模様Ｘは格子状に限ることはなく、適宜任意に変更可能であり、例えば、ドット状等であっても良い。
また、圧縮溝Ｙは連続線状に限ることはなく、適宜任意に変更可能であり、例えば、断続線状や点線状等であっても良い。
また、エンボス幅、すなわち、エンボス模様Ｘを構成する線や点の幅、圧縮溝Ｙの幅は、１ｍｍ〜５ｍｍが好ましい。エンボス幅が１ｍｍよりも小さいと、吸収体１３が切れてしまう等の不具合が生じる可能性があり、エンボス幅が５ｍｍよりも大きいと、高吸水性樹脂の膨張が妨げられてしまう等の不具合が生じる可能性がある。
【００２８】
また、エンボス模様Ｘと圧縮溝Ｙとの両方を形成する場合、エンボス模様Ｘを形成した後に圧縮溝Ｙを形成しても良いし、圧縮溝Ｙを形成した後にエンボス模様Ｘを形成しても良いし、エンボス模様Ｘと圧縮溝Ｙとを同時に形成しても良い。
また、エンボス模様Ｘと圧縮溝Ｙとの両方を形成する場合、圧縮溝Ｙは、エンボス模様Ｘよりも高いエンボス圧で形成することが好ましい。
また、エンボス模様Ｘや圧縮溝Ｙに、凹凸を付ける、すなわち高圧縮部と低圧縮部とを設けると、エンボス加工後の形状を保ちやすくなるので好ましい。また、この場合、高圧縮部の幅は、０．５ｍｍ〜５ｍｍが好ましい。
【００２９】
また、吸収性シート１は、表面シート１１を内側にして折り畳まれた状態で包装されるので、吸収性シート１を使用するために展開すると、表面シート１１側に折り畳み線に沿って凹みが生じる。したがって、包装時における吸収性シート１の折り方向、すなわち折り畳み線が延びる方向が、第１方向に対して平行だと、折り畳み線が第１方向の両端部領域にも形成されるので、第１方向の両端部領域の盛り上がりが小さくなったり、第１方向の両端部領域の立ち上がり角度が小さくなったりして、左端や右端からの漏れを抑制する効果が薄れてしまうことがある。
そのため、表面の位置が中央領域１ｃの表面の位置よりも高くなった部分と交差する折り畳み線を極力形成しないような折り畳み方で吸収性シート１を折り畳んで包装することが好ましい。
【００３０】
具体的には、例えば、図６（ａ）、（ｂ）、（ｃ）に示すように、吸収性シート１を第１方向（左右方向）に凡そ三等分する位置に第２方向（前後方向）に沿った折り位置Ｓ１、Ｓ２を設定するとともに、第２方向に凡そ二等分する位置に第１方向に沿った折り位置Ｓ３を設定し、折り位置Ｓ１、Ｓ２で折った後に、折り位置Ｓ３で折ることによって折り畳むと良い。
あるいは、例えば、図７（ａ）、（ｂ）、（ｃ）に示すように、吸収性シート１を第１方向（左右方向）に凡そ四等分する３つの位置のうち最も左端部領域１ａ側の位置と最も右端部領域１ｂ側の位置とに第２方向（前後方向）に沿った折り位置Ｓ１、Ｓ２を設定するとともに、第２方向に凡そ二等分する位置に第１方向に沿った折り位置Ｓ３を設定し、折り位置Ｓ１、Ｓ２で折った後に、折り位置Ｓ３で折ることによって折り畳んでも良い。
従来、吸収性シートは、吸収性シートを第２方向（前後方向）に凡そ三等分する位置に第１方向（左右方向）に沿った２つの折り位置を設定し、その折り位置で折ることによって折り畳まれていた。これに対し、図６や図７に示す折り畳み方のほうが、第１方向に沿った折り畳み線が少なくなるとともに、コンパクトに折り畳むことができる。また、図６や図７に示す折り畳み方では、第２方向に沿った折り畳み線が形成されるので、左端部領域１ａ及び右端部領域１ｂが立ち上がりやすくなり、好適である。
【００３１】
＜実施例＞
以下、具体的な実施例によって本発明を説明するが、発明はこれらに限定されるものではない。
【００３２】
まず、図５に示す吸収性シート１（全体に形成されるエンボス模様Ｘを有するとともに、境界に形成される圧縮溝Ｙを有する吸収性シート）を作製した。
具体的には、吸収体１３の全体（すなわち、左端部領域１ａ、右端部領域１ｂ及び中央領域１ｃ）に、格子状のエンボス模様Ｘを形成した。この状態において、吸収体１３の非圧縮部の厚みは１．８ｍｍであった。
次いで、エンボス幅２．５ｍｍ、エンボス圧５ｋｇｆ／ｃｍ２、左端部領域１ａ及び右端部領域１ｂの幅（左右方向の長さ）を２５ｍｍとして、左端部領域１ａと中央領域１ｃとの境界と、右端部領域１ｂと中央領域１ｃとの境界と、に圧縮溝Ｙを形成した。この状態において、吸収体１３の圧縮溝Ｙ部分の厚みは、１．３ｍｍであった。
次いで、裏面シート１２上に吸収体１３を配置し、その吸収体１３上に表面シート１１を配置して、表面シート１１と裏面シート１２とを接着することによって、吸収体１３を表面シート１１及び裏面シート１２で包み、吸収性シート１を作製した。この吸収性シート１の左端部領域１ａ及び右端部領域１ｂの中央領域１ｃに対する角度（立ち上がり角度）は、１０度であった。
【００３３】
次に、作製した吸収性シート１の圧縮溝Ｙ付近に、３０ｃｃの生理食塩水を滴下した。
また、比較のために、全体に形成されるエンボス模様Ｘは有するが圧縮溝Ｙは有さない吸収性シートを用意して、その比較用吸収性シートのうち圧縮溝Ｙに相当する位置、すなわち左端（又は右端）から２５ｍｍの位置に、３０ｃｃの生理食塩水を滴下した。
その結果、圧縮溝Ｙが形成されて端部領域が立ち上がっている吸収性シート１では、端からの漏れが生じなかった。
一方、圧縮溝Ｙが形成されておらず端部領域が立ち上がっていない比較用吸収性シートでは、端からの漏れが生じた。その漏れの範囲は、前後方向１２５ｍｍ、左右方向２０ｍｍであった。
以上の結果から、吸収性シート１の左端部領域１ａ及び右端部領域１ｂの表面の位置と、その間の中央領域１ｃの表面の位置と、に高低差を設けることで、端からの漏れを抑制できることが分かった。
【００３４】
以上説明した本実施形態の吸収性シート１によれば、透液性の表面シート１１と、不透液性の裏面シート１２と、表面シート１１と裏面シート１２との間に介装される吸収体１３と、からなる吸収性シート１において、当該吸収性シート１は、平面視略矩形状に形成されており、所定の載置面（部屋の床面やペット用トイレＴのトレイＴ２の底面等）に載置した際に、当該吸収性シート１の一辺に平行な第１方向の両端部領域（本実施形態の場合、左端部領域１ａ及び右端部領域１ｂ）の表面の位置が、その間の中央領域１ｃの表面の位置よりも高くなるように構成されている。
したがって、第１方向の両端部領域によって、尿を塞き止めたり、尿を中央領域１ｃへと流したりすることができるので、吸収性シート１の左端や右端からの漏れを抑制することができる。
【００３５】
なお、吸収性シート１は、所定の載置面に載置した際に、当該吸収性シート１の一辺に平行な第１方向の両端部領域及び当該一辺に直交する第２方向の両端部領域の少なくとも何れか一方の両端部領域の表面の位置が、その間の中央領域の表面の位置よりも高くなるように構成されていれば良い。
すなわち、本実施形態では、第１方向の両端部領域の表面の位置が、その間の中央領域１ｃの表面の位置よりも高くなるように構成したが、これに限ることはなく、第２方向の両端部領域（本実施形態の場合、前端部領域及び後端部領域）の表面の位置が、その間の中央領域の表面の位置よりも高くなるように構成することも可能であるし、第１方向の両端部領域の表面の位置が、その間の中間領域の表面の位置よりも高くなるとともに、第２方向の両端部領域の表面の位置が、その間の中央領域の表面の位置よりも高くなるように構成することも可能である。
また、本実施形態では、吸収性シート１を、第２方向に長く第１方向に短い平面視略長方形状をなすものとしたが、これに限ることはなく、吸収性シート１は、例えば、第２方向に短く第１方向に長い平面視略長方形状をなすものであっても良いし、第２方向と第１方向の長さがほぼ同一の平面視略正方形状をなすものであっても良い。
【００３６】
また、以上説明した本実施形態の吸収性シート１によれば、第１方向の両端部領域の間の中央領域１ｃには、当該中央領域１ｃを表面側から押圧することによって、エンボス模様Ｘが形成されている。
したがって、第１方向の両端部領域が、中央領域１ｃよりも盛り上がった状態になるので、当該両端部領域によって、確実に、尿を塞き止めたり、尿を中央領域１ｃへと流したりすることができる。
なお、本実施形態では、第１方向の両端部領域の間の中央領域１ｃのみにエンボス模様Ｘを形成したが、これに限ることはなく、第２方向の両端部領域の間の中央領域のみにエンボス模様Ｘを形成しても良いし、第１方向の両端部領域の間の中央領域１ｃと、第２方向の両端部領域の間の中央領域と、の重複部分のみにエンボス模様Ｘを形成することも可能である。
【００３７】
また、以上説明した本実施形態の吸収性シート１によれば、第１方向の両端部領域と、その間の中央領域１ｃと、の境界に、当該境界を表面側から押圧することによって、圧縮溝Ｙを形成することも可能である。
この場合、第１方向の両端部領域が、斜め上方を向くように立ち上がった状態になるので、第１方向の両端部領域によって、確実に、尿を塞き止めたり、尿を中央領域１ｃへと流したりすることができる。また、この場合、第１方向の両端部領域が、斜め上方向を向くように立ち上がっているので、ペット用トイレＴのトレイＴ２内に吸収性シート１を載置する作業を楽に行うことが可能となる。
【００３８】
なお、吸収性シート１は、第１方向の両端部領域及び第２方向の両端部領域の少なくとも何れか一方の両端部領域と、その間の中央領域と、の境界に、当該境界を表面側から押圧することによって、圧縮溝Ｙが形成されていれば良い。
すなわち、本実施形態では、第１方向の両端部領域と、その間の中央領域１ｃと、の境界に圧縮溝Ｙを形成したが、これに限ることはなく、第２方向の両端部領域（本実施形態の場合、前端部領域及び後端部領域）と、その間の中央領域と、の境界に圧縮溝Ｙを形成することも可能であるし、例えば、図８に示すように、第１方向の両端部領域とその間の中央領域１ｃとの境界、及び第２方向の両端部領域とその間の中央領域との境界に、圧縮溝Ｙを形成することも可能である。
【００３９】
図８に示す吸収性シート１では、全体にエンボス模様Ｘが形成されているが、エンボス模様Ｘは形成されていなくても良いし、第１方向の両端部領域の間の中央領域１ｃのみにエンボス模様Ｘを形成しても良いし、第２方向の両端部領域の間の中央領域のみにエンボス模様Ｘを形成しても良いし、第１方向の両端部領域の間の中央領域１ｃと、第２方向の両端部領域の間の中央領域と、の重複部分のみにエンボス模様Ｘを形成しても良い。
【００４０】
また、例えば、図９に示すように、第２方向の両端部領域と、その間の中央領域と、の境界に、当該境界に沿って伸縮部材Ｚを配置することも可能である。なお、図９では、伸縮部材Ｚが伸びた状態を示しているが、伸縮部材Ｚが縮んで元の状態に戻ると、第１方向の両端部領域が、斜め上方を向くように立ち上がった状態になるので、第１方向の両端部領域によって、確実に、尿を塞き止めたり、尿を中央領域１ｃへと流したりすることができる。
【００４１】
なお、伸縮部材Ｚは、第１方向の両端部領域及び第２方向の両端部領域の少なくとも何れか一方の両端部領域と、その間の中央領域と、の境界に、当該境界に沿って配置されていれば良い。
すなわち、図９に示す吸収性シート１では、第２方向の両端部領域とその間の中央領域との境界に伸縮部材Ｚを配置したが、これに限ることはなく、第１方向の両端部領域とその間の中央領域１ｃとの境界に伸縮部材Ｚを配置することも可能であるし、第２方向の両端部領域とその間の中間領域との境界に伸縮部材Ｚを配置するとともに、第１方向の両端部領域とその間の中央領域１ｃとの境界に伸縮部材Ｚを配置することも可能である。
【００４２】
また、図９に示す吸収性シート１には、第１方向の両端部領域とその間の中央領域１ｃとの境界に圧縮溝Ｙが形成されているが、これに限ることはなく、第２方向の両端部領域とその間の中央領域との境界に圧縮溝Ｙを形成しても良いし、第１方向の両端部領域とその間の中央領域１ｃとの境界、及び第２方向の両端部領域とその間の中央領域との境界に、圧縮溝Ｙを形成しても良い。また、圧縮溝Ｙは形成されていなくても良い。
また、図９に示す吸収性シート１には、エンボス模様Ｘが形成されていないが、全体にエンボス模様Ｘを形成しても良いし、第１方向の両端部領域の間の中央領域１ｃのみにエンボス模様Ｘを形成しても良いし、第２方向の両端部領域の間の中央領域のみにエンボス模様Ｘを形成しても良いし、第１方向の両端部領域の間の中央領域１ｃと、第２方向の両端部領域の間の中央領域と、の重複部分のみにエンボス模様Ｘを形成しても良い。
【００４３】
なお、今回開示された実施の形態はすべての点で例示であって制限的なものではないと考えられるべきである。また、前述の実施形態及び変形例の構成を組み合わせて適用しても良い。本発明の範囲は上記した説明ではなくて特許請求の範囲によって示され、特許請求の範囲と均等の意味および範囲内でのすべての変更が含まれることが意図される。
【符号の説明】
【００４４】
１  吸収性シート
１ａ  左端部領域（第１方向の端部領域）
１ｂ  右端部領域（第１方向の端部領域）
１ｃ  中央領域
１１  表面シート
１２  裏面シート
１３  吸収体
Ｘ  エンボス模様
Ｙ  圧縮溝
Ｚ  伸縮部材
【図１】
2013255452.tif 000003
【図２】
2013255452.tif 000004
【図３】
2013255452.tif 000005
【図４】
2013255452.tif 000006
【図５】
2013255452.tif 000007
【図６】
2013255452.tif 000008
【図７】
2013255452.tif 000009
【図８】
2013255452.tif 000010
【図９】
2013255452.tif 000011